(57)【要約】      （修正有）【課題】易開封性を有するチャックテープ付き包装体を提供する。【解決手段】互いに嵌合する雄型ファスナー部と雌型ファスナー部を有するチャックテープ４を開口端の近傍の内面に備え、開口端において対向する包材同士が重複しない領域を有するタブ部２、３をそれぞれ備えるチャックテープ付き包装体１。【選択図】図１
2008056279.tif 000002
【特許請求の範囲】
【請求項１】
互いに嵌合する雄型ファスナー部と雌型ファスナー部を有するチャックテープを、開口端の近傍の内面に備えるチャックテープ付き包装体であって、
前記開口端において対向する包材同士が重複しない領域を有するタブ部をそれぞれ備えること、
を特徴とするチャックテープ付き包装体。
【請求項２】
前記包材は、対向する面に熱融着性を有する熱シール層を備え、
前記チャックテープ付き包装体は、前記開口端と前記チャックテープとの間に、前記熱シール層を合掌して加熱することでシールされるシール帯を備えること、
を特徴とする請求項１に記載のチャックテープ付き包装体。
【請求項３】
前記シール帯は、引き剥し応力が集中する形状を有する、少なくとも１つの応力集中部が形成されたこと、
を特徴とする請求項２に記載のチャックテープ付き包装体。
【請求項４】
前記応力集中部の形状は、前記シール帯の長手方向と直交する方向に凸であること、
を特徴とする請求項３に記載のチャックテープ付き包装体。
【請求項５】
互いに嵌合する雄型ファスナー部と雌型ファスナー部を有するチャックテープを、開口端の近傍の内面に備えるチャックテープ付き包装体であって、
前記開口端において対向する包材同士が互いに離間する領域を有していること、
を特徴とするチャックテープ付き包装体。
【請求項６】
互いに嵌合する雄型ファスナー部と雌型ファスナー部を有するチャックテープを、開口端の近傍の内面に備えるチャックテープ付き包装体であって、
前記開口端において対向する包材同士が重複しない領域を有するタブ部を形成するように前記対向する包材同士に切り込み案内部が設けられていること、
を特徴とするチャックテープ付き包装体。
【請求項７】
互いに嵌合する雄型ファスナー部と雌型ファスナー部を有するチャックテープを、開口端の近傍の内面に備えるチャックテープ付き包装体であって、
前記開口端において対向する包材同士が互いに離間する領域を構成するように前記開口端部の少なくとも一方が表面と裏面とで異なる素材または前記開口端部の少なくとも一方が形状記憶素材で構成されていること、
を特徴とするチャックテープ付き包装体。
【発明の詳細な説明】
【技術分野】
【０００１】
本発明は、易開封性を有するチャックテープ付き包装体に関する。
【背景技術】
【０００２】
従来、各種の物品を包装するための包装体として、袋の開口部に対して雄型ファスナー部及び雌型ファスナー部より形成されて雌雄嵌合する一対の帯状のチャックテープを配設して、かかる嵌合状態を解離自在としたチャックテープ付き包装体が適用されている。
ここで、チャックテープは、雄型ファスナー部及び雌型ファスナー部の嵌合と解離により、袋の開閉を、容易に且つ繰り返し行うために適用される。
【０００３】
このようなチャックテープ付き包装体の例として、特許文献１には雄爪側チャックテープと雌爪側チャックテープの２つの部位からなるチャック袋が開示されている。
【特許文献１】特開平１０−２９７６５２号公報（段落０００６、図１）
【発明の開示】
【発明が解決しようとする課題】
【０００４】
しかしながら、特許文献１に記載されたようなチャック袋には、チャックテープを解離する際に、開口端で対向するフィルムをそれぞれ把持することが難しく、また把持した場合であっても引き剥がし力を付加しにくいという問題点があった。
したがって、本発明の目的は、易開封性を有するチャックテープ付き包装体を提供することである。
【課題を解決するための手段】
【０００５】
前記の課題を解決するために成された本発明に係るチャックテープ付き包装体は、互いに嵌合する雄型ファスナー部と雌型ファスナー部を有するチャックテープを、開口端において対向する包材同士が重複しない領域を有するタブ部をそれぞれ備えることを特徴としている。
【０００６】
この構成により、タブ部を把持してチャックテープを確実に解離することができ、易開封性を確保することができる。
【０００７】
また、包材は、対向する面に熱融着性を有する熱シール層を備え、チャックテープ付き包装体は、開口端とチャックテープとの間に、熱シール層を合掌して加熱することでシールされるシール帯を備えることもできる。
【０００８】
この構成により、包装対象物の出荷時等に、チャックテープ付き包装体を密封することができる。
【０００９】
また、前記のシール帯は、引き剥し応力が集中する形状を有する、少なくとも１つの応力集中部が形成されてもよい。
【００１０】
この構成により、シール帯を引き剥がす際に、最初に印加する引き剥がし力を抑えることができ、易開封性を確保することができる。
【００１１】
さらに、応力集中部の形状は、シール帯の長手方向と直交する方向に凸であってもよい。
さらに、前記課題を解決する本発明は、
互いに嵌合する雄型ファスナー部と雌型ファスナー部を有するチャックテープを、開口端の近傍の内面に備えるチャックテープ付き包装体であって、前記開口端において対向する包材同士が互いに離間する領域を有していること、を特徴とするチャックテープ付き包装体、
互いに嵌合する雄型ファスナー部と雌型ファスナー部を有するチャックテープを、開口端の近傍の内面に備えるチャックテープ付き包装体であって、
前記開口端において対向する包材同士が重複しない領域を有するタブ部を形成するように前記対向する包材同士に切り込み案内部が設けられていること、を特徴とするチャックテープ付き包装体、および
互いに嵌合する雄型ファスナー部と雌型ファスナー部を有するチャックテープを、開口端の近傍の内面に備えるチャックテープ付き包装体であって、
前記開口端において対向する包材同士が互いに離間する領域を構成するように前記開口端部の少なくとも一方が表面と裏面とで異なる素材または前記開口端部の少なくとも一方が形状記憶素材で構成されていること、
を特徴とするチャックテープ付き包装体に関する。
【発明の効果】
【００１２】
本発明によれば、チャックテープ付き包装体の易開封性を十分に確保することができる。
【発明を実施するための最良の形態】
【００１３】
（第１実施形態）
以下、本発明の第１実施形態を説明する。図１は本実施形態に係る包装体の平面図の例である。
【００１４】
（包装体の構成）
図２に示した包装体１は、例えば、ポリエチレン樹脂や、ポリエチレンテレフタレート樹脂等の合成樹脂フィルムからなり、上部の開口端以外の３辺は合成樹脂フィルムにより一体に形成又はヒートシールされている。
包装体１の開口端において対向する合成樹脂フィルムのそれぞれには、第１タブ２及び第２タブ３が形成されている。第１タブ２及び第２タブ３は、把持可能な大きさに形成され、互いに重複しない領域を有している。
【００１５】
チャックテープ４は、従来公知のものを用いることができ、雄型ファスナー部及び雌型ファスナー部より形成されて雌雄嵌合する一対の帯状の形状を有し、包装体１の開口端近傍の内面に設置される。
このチャックテープ４は、例えば、別途形成されたものを熱融着により包装体１の内面に付着させて設置される。
【００１６】
（作用）
前記の構成を有する包装体１を開封する際には、第１タブ２及び第２タブ３をそれぞれ把持して、互いに引き離す方向に、包装体１を構成する合成樹脂フィルムに引き剥がし力を印加する。これにより、チャックテープ４を確実に解離することができる。
【００１７】
（効果）
本実施形態の包装体１によると、第１タブ２及び第２タブ３の作用により、包装体１の開口端の確実な把持が容易となり、易開封性を十分に確保することができる。
これにより、ユニバーサルデザインを有する包装体１を具現できる。
【００１８】
（第２実施形態）
以下、本発明の第２実施形態を説明する。図２は本実施形態に係る包装体の平面図の例である。
【００１９】
（包装体の構成）
図２に示した本実施形態の包装体１は、図１に示した第１実施形態の包装体１の構成に加えて、包装体１の開口端とチャックテープ４との間にシール帯５を付設したことを特徴としている。したがって、シール帯５以外の構成は第１実施形態と同様であるため、その説明を省略する。
【００２０】
本実施形態の包装体１は、熱融着性を有する熱シール層を含む単層又は複層の合成樹脂フィルムにより形成されている。そして、シール帯５は、包装体１の最内層の熱シール層同士を合掌させて熱融着することで形成され、このシール帯５の略中央部分には、包装体１の上方に向けて凸状となる円弧状の応力集中部６が形成されている。この応力集中部６は、このシール帯５を作成する図示しない熱融着装置のプレス部分の形状に合せて形成される。したがって、プレス部分の形状を調整することで、他の実施形態として様々な形状及び数の応力集中部６を形成可能である。
【００２１】
（作用）
前記の構成を有する包装体１のシール帯５を破壊して開封する際には、包装体１の第１タブ２及び第２タブ３をそれぞれ把持して、互いに引き離す方向に包装体１を構成する合成樹脂フィルムに引き剥がし力を印加する。この引き剥がし力は、まず、応力集中部６の上方に向かって凸になった先端近傍に引き剥がし応力として集中する。
これにより、応力集中部６のシール帯５は、応力集中部６がない場合に比べ、比較的小さな引き剥がし力により引き剥がされる。
【００２２】
その後、シール帯５の引き剥がされた部分と、引き剥がされていない部分との境界部分に、引き剥がし応力は集中し、略同一の引き剥がし力により、シール帯５の全体を引き剥がして、包装体１を開封することができる。なお、一度、シール帯５を破壊した後では、第１実施形態の包装体１と同様の作用を有することになる。
【００２３】
（効果）
本実施形態のシール帯５を適用した包装体１によると、包装対象物の出荷時等に、確実に包装体１を密封することができる。また、第１タブ２及び第２タブ３により、包装体１の開口端を確実に把持できるとともに、応力集中部６の作用によりシール帯５の易開封性を確保することができる。
また、シール帯５は、従来の熱融着装置のプレス部分の形状を加工するだけで具現可能であり、特殊な製造装置及び材料を用いることなく形成可能である。さらに、形成にかかるコストを安価に抑えることができる。
これにより、ユニバーサルデザインを有する包装体１を具現できる。
【００２４】
以上、本発明の好適な２つの実施形態を説明したが、本発明は様々に変形して実施可能である。
例えば、前記の２つの実施形態では、第１タブ２及び第２タブ３の２つのタブを備えることとしたが、さらに多くのタブを備える構成であってもよい。この際、対向するタブは、重複しない領域を有するように形成される。
【００２５】
また、応力集中部６の凸部分の形状は、先端にアールを付けることなく鋭角に形成したり、円弧状に形成したり、応力集中部６を包装体１の下方に向かって凸状に形成したり、シール帯５の一部を凹状に形成することもでき、引き剥がし応力が集中する形状であれば、様々に変形して実施可能である。また、このような応力集中部６を複数設けることも可能である。
【００２６】
また、前記のシール帯５を包装体１の後背部に設けた合掌貼袋に適用することも可能である。したがって、本発明は、前記した実施形態に限定されることなく、特許請求の範囲に記載された技術的思想により定められる。
【００２７】
（他の実施形態）
例えば、前記タブを形成するために前記開口端において対向する包材同士が重複しない領域を有するタブ部を形成するように前記対向する包材同士に切り込み案内部が設けられていてもよい。この案内部は、当該技術分野に周知のものであってよく異なる素材でできた紐状物であってもよい。
また、図３に示す通り、第３実施形態に係る本発明のチャックテープ付き包装体１１は、互いに嵌合する雄型ファスナー部と雌型ファスナー部を有するチャックテープ１２を、開口端の近傍の内面に備えるチャックテープ付き包装体１１において図１に示すタブ部１の代わりに前記開口端において対向する包材同士が互いに離間する領域、すなわち、チャックテープ１２を閉めた際に開口部に隙間部１１を有している。
このように隙間を設けることによってタブ部を設けた場合と同様に繰り返しの使用しても使用者は容易に開封することが可能となる。
【００２８】
このような第３実施形態に係る本発明のチャックテープ付き包装体１１は、開口部の部分の少なくとも一方、好ましくは両方の表面と裏面とを異なる材料、具体的には表面部分に密な材料を用いることによって開封後に隙間部１２を設けることができる。また、開口部の部分の少なくとも一方、好ましくは両方を開口端において対向する包材同士が互いに離間する領域を構成するように記憶された形状記憶素材で構成してもよい。
【図面の簡単な説明】
【００２９】
【図１】本発明の第１実施形態に係る包装体の平面図である。
【図２】本発明の第２実施形態に係る包装体の平面図である。
【図３】本発明の第３実施形態に係る包装体の平面図である。
【符号の説明】
【００３０】
１      包装袋
２      第１タブ
３      第２タブ
４      チャックテープ
５      シール帯
６      応力集中部
【図１】
2008056279.tif 000003
【図２】
2008056279.tif 000004
【図３】
2008056279.tif 000005